(57)【特許請求の範囲】
【請求項１】
不純物除去箱を含み、前記不純物除去箱の中には左方に開口した不純物除去空間が設置され、前記不純物除去空間の上端壁の中にはロッド分割機構が設置され、前記ロッド分割機構は前記不純物除去箱の上端面の中に嵌め込まれた貯蔵ブロックを含み、前記貯蔵ブロックの下端壁の中には回転盤が設置され、前記回転盤の中には貯蔵空間が設置され、前記貯蔵空間は上端壁が前記貯蔵ブロックと連通しており、前記貯蔵ブロックの中に籾殻や木材チップなどの農業固形廃棄物を入れ、自重の作用によって、一部の籾殻や木材チップなどの固形廃棄物が自動的に前記貯蔵空間の中に入り、前記回転盤の回転で前記貯蔵空間の中にある籾殻や木材チップなどの固形廃棄物は前記不純物除去空間の中に送られ、
前記不純物除去空間の中には置き機構が設置され、前記置き機構は前記不純物除去空間の中に設置された支持板を含み、前記支持板の前端面には底部板が固定的に設置され、前記底部板の下端面には固定ブロックが固定的に設置され、前記固定ブロックの前端面には定位棒が固定的に設置され、前記定位棒には回転ブロックが第一捻りばねによって回転可能に設置され、前記支持板の前側には置きブロックが設置され、前記置きブロックの中には濾過網が嵌め込まれ、前記回転盤が前記不純物除去空間の中に送った籾殻や木材チップなどの固形廃棄物は前記濾過網の上端面に落下し、
前記置き機構の下側には制御機構が設置され、前記制御機構はベルトを含み、前記ベルトの外端面には四つの押しブロック及び一つの押し棒が固定的に設置され、前記押しブロックが前記ベルトにつれて運動すると前記回転ブロックを押すことができ、前記押し棒が前記ベルトにつれて運動すると前記固定ブロックを押すことができることを特徴とする農業固形廃棄物に対する不純物除去設備。
【請求項２】
前記ロッド分割機構はさらに前記不純物除去箱の中に嵌め込まれた動力モータを含み、前記動力モータには動力軸が固定的に設置され、前記回転盤が前記動力軸に固定的に設置され、前記回転盤の下側には連結空間が設置され、前記連結空間は下端壁が前記不純物除去空間と連通していることを特徴とする請求項１に記載の農業固形廃棄物に対する不純物除去設備。
【請求項３】
前記不純物除去空間の右端壁には空き空間が設置され、前記空き空間は左端壁が前記不純物除去空間と連通しており、前記空き空間の前端壁にはラックが固定的に設置され、前記ラックの後端面が前記支持板の前端面の前側に位置し、前記空き空間の下端壁は排出口によって外部と連通していることを特徴とする請求項１に記載の農業固形廃棄物に対する不純物除去設備。
【請求項４】
前記置き機構はさらに前記不純物除去空間の後端壁の中に設置されたスライド空間を含み、前記スライド空間の前端壁が前記不純物除去空間と前記空き空間とを連通し、前記スライド空間の左端壁には圧力ばねが固定的に設置され、前記圧力ばねの右端には前記スライド空間とスライド可能に連結されたスライダが固定的に設置され、前記スライダの前端が前記不純物除去空間の中に位置し、前記支持板が前記スライダの前端と固定的に連結され、前記支持板の前端面の中にはトルク軸が第二捻りばねによって回転可能に設置され、前記トルク軸には歯車と回転棒とが固定的に設置され、前記回転棒が前記歯車の前側に位置し、前記置きブロックが前記回転棒の上端面に固定的に設置されていることを特徴とする請求項３に記載の農業固形廃棄物に対する不純物除去設備。
【請求項５】
前記制御機構はさらに前記不純物除去空間の後端壁に固定的に設置された駆動モータを含み、前記駆動モータの前端面には駆動軸が設置され、前記駆動軸が前記駆動モータに制御され、前記駆動軸には駆動プーリが固定的に設置され、前記不純物除去空間の後端壁には伝動軸が回転可能に設置され、前記伝動軸には伝動プーリが固定的に設置され、前記伝動プーリと前記駆動プーリとは前記ベルトによって摩擦伝動できることを特徴とする請求項４に記載の農業固形廃棄物に対する不純物除去設備。
【発明の詳細な説明】
【技術分野】
【０００１】
本願発明は固形廃棄物処理分野を取り上げて、具体的には農業固形廃棄物に対する不純物除去設備である。
【背景技術】
【０００２】
農業固形廃棄物とは農業生産活動や農業者の生活に伴って発生した固形廃棄物のことである。廃棄竹、木材チップ、わら、小麦わら、バガスなどはすべて農業固形廃棄物に属する。建設の分野では清潔な籾殻や木材チップを原料としてよく使用する。農業固形廃棄物から不純物を除去するほとんどの方法は、分別なく一斉に不純物を除去するため、処理効果が低く、また、処理プロセス中に粉塵が飛散しやすく、作業環境に悪影響を与えるだけでなく、製品の二次汚染を引き起こす可能性もある。
【先行技術文献】
【特許文献】
【０００３】
【特許文献１】中国特許出願公開第１０２８６１７１７号明細書
【発明の概要】
【発明が解決しようとする課題】
【０００４】
本願は農業固形廃棄物に対する不純物除去設備を提供し、従来技術における上記欠点を解消することを目的とする。
【課題を解決するための手段】
【０００５】
本願発明は以下の技術プランを通じて実現する。
【０００６】
本願発明に記載の農業固形廃棄物に対する不純物除去設備は、不純物除去箱を含み、前記不純物除去箱の中には左方に開口した不純物除去空間が設置され、前記不純物除去空間の上端壁の中にはロッド分割機構が設置され、前記ロッド分割機構は前記不純物除去箱の上端面の中に嵌め込まれた貯蔵ブロックを含み、前記貯蔵ブロックの下端壁の中には回転盤が設置され、前記回転盤の中には貯蔵空間が設置され、前記貯蔵空間は上端壁が前記貯蔵ブロックと連通しており、前記貯蔵ブロックの中に籾殻や木材チップなどの農業固形廃棄物を入れ、自重の作用によって、一部の籾殻や木材チップなどの固形廃棄物が自動的に前記貯蔵空間の中に入り、前記回転盤の回転で前記貯蔵空間の中にある籾殻や木材チップなどの固形廃棄物は前記不純物除去空間の中に送られ、
前記不純物除去空間の中には置き機構が設置され、前記置き機構は前記不純物除去空間の中に設置された支持板を含み、前記支持板の前端面には底部板が固定的に設置され、前記底部板の下端面には固定ブロックが固定的に設置され、前記固定ブロックの前端面には定位棒が固定的に設置され、前記定位棒には回転ブロックが第一捻りばねによって回転可能に設置され、前記支持板の前側には置きブロックが設置され、前記置きブロックの中には濾過網が嵌め込まれ、前記回転盤が前記不純物除去空間の中に送った籾殻や木材チップなどの固形廃棄物は前記濾過網の上端面に落下し、
前記置き機構の下側には制御機構が設置され、前記制御機構はベルトを含み、前記ベルトの外端面には四つの押しブロック及び一つの押し棒が固定的に設置され、前記押しブロックが前記ベルトにつれて運動すると前記回転ブロックを押すことができ、前記押し棒が前記ベルトにつれて運動すると前記固定ブロックを押すことができる。
【０００７】
好ましくは、前記ロッド分割機構はさらに前記不純物除去箱の中に嵌め込まれた動力モータを含み、前記動力モータには動力軸が固定的に設置され、前記回転盤が前記動力軸に固定的に設置され、前記回転盤の下側には連結空間が設置され、前記連結空間は下端壁が前記不純物除去空間と連通している。
【０００８】
好ましくは、前記不純物除去空間の右端壁には空き空間が設置され、前記空き空間は左端壁が前記不純物除去空間と連通しており、前記空き空間の前端壁にはラックが固定的に設置され、前記ラックの後端面が前記支持板の前端面の前側に位置し、前記空き空間の下端壁は排出口によって外部と連通している。
【０００９】
好ましくは、前記置き機構はさらに前記不純物除去空間の後端壁の中に設置されたスライド空間を含み、前記スライド空間の前端壁が前記不純物除去空間と前記空き空間とを連通し、前記スライド空間の左端壁には圧力ばねが固定的に設置され、前記圧力ばねの右端には前記スライド空間とスライド可能に連結されたスライダが固定的に設置され、前記スライダの前端が前記不純物除去空間の中に位置し、前記支持板が前記スライダの前端と固定的に連結され、前記支持板の前端面の中にはトルク軸が第二捻りばねによって回転可能に設置され、前記トルク軸には歯車と回転棒とが固定的に設置され、前記回転棒が前記歯車の前側に位置し、前記置きブロックが前記回転棒の上端面に固定的に設置されている。
【００１０】
好ましくは、前記制御機構はさらに前記不純物除去空間の後端壁に固定的に設置された駆動モータを含み、前記駆動モータの前端面には駆動軸が設置され、前記駆動軸が前記駆動モータに制御され、前記駆動軸には駆動プーリが固定的に設置され、前記不純物除去空間の後端壁には伝動軸が回転可能に設置され、前記伝動軸には伝動プーリが固定的に設置され、前記伝動プーリと前記駆動プーリとは前記ベルトによって摩擦伝動できる。
【発明の効果】
【００１１】
本願発明は農業固形廃棄物を定量に分別してから不純物を除去し、小ロットの形で不純物を除去するため、処理効果を向上させられ、また、分別が自動的に行われるため、使用が便利であり、その他、不純物除去箱の中で作業を行うため、粉塵の発生を抑えられ、作業環境や外部への汚染も減らせる。
【図面の簡単な説明】
【００１２】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１３】
【図１】図１は本願発明の構成模式図
【図２】図２は図１におけるＡの拡大模式図
【図３】図３は図１におけるＢ―Ｂ方向からの模式図
【図４】図４は図１におけるＣ―Ｃ方向からの模式図
【発明を実施するための形態】
【００１４】
図１〜４を参照し、本願発明に記載の農業固形廃棄物に対する不純物除去設備は、不純物除去箱１０を含み、前記不純物除去箱１０の中には左方に開口した不純物除去空間１１が設置され、前記不純物除去空間１１の上端壁の中にはロッド分割機構７０が設置され、前記ロッド分割機構７０は前記不純物除去箱１０の上端面の中に嵌め込まれた貯蔵ブロック１６を含み、前記貯蔵ブロック１６の下端壁の中には回転盤１３が設置され、前記回転盤１３の中には貯蔵空間１５が設置され、前記貯蔵空間１５は上端壁が前記貯蔵ブロック１６と連通しており、前記貯蔵ブロック１６の中に籾殻や木材チップなどの農業固形廃棄物を入れ、自重の作用によって、一部の籾殻や木材チップなどの固形廃棄物が自動的に前記貯蔵空間１５の中に入り、前記回転盤１３の回転で前記貯蔵空間１５の中にある籾殻や木材チップなどの固形廃棄物は前記不純物除去空間１１の中に送られ、
前記不純物除去空間１１の中には置き機構７１が設置され、前記置き機構７１は前記不純物除去空間１１の中に設置された支持板２９を含み、前記支持板２９の前端面には底部板３３が固定的に設置され、前記底部板３３の下端面には固定ブロック４０が固定的に設置され、前記固定ブロック４０の前端面には定位棒４２が固定的に設置され、前記定位棒４２には回転ブロック３９が第一捻りばね４１によって回転可能に設置され、前記支持板２９の前側には置きブロック３６が設置され、前記置きブロック３６の中には濾過網３８が嵌め込まれ、前記回転盤３３が前記不純物除去空間１１の中に送った籾殻や木材チップなどの固形廃棄物は前記濾過網３８の上端面に落下し、
前記置き機構７１の下側には制御機構７２が設置され、前記制御機構７２はベルト３０を含み、前記ベルト３０の外端面には四つの押しブロック２８及び一つの押し棒２７が固定的に設置され、前記押しブロック２８が前記ベルト３０につれて運動すると前記回転ブロック３９を押すことができ、前記押し棒２７が前記ベルト３０につれて運動すると前記固定ブロック４０を押すことができる。
【００１５】
有益的には、前記ロッド分割機構７０はさらに前記不純物除去箱１０の中に嵌め込まれた動力モータ４３を含み、前記動力モータ４３には動力軸１４が固定的に設置され、前記回転盤１３が前記動力軸１４に固定的に設置され、前記回転盤１３の下側には連結空間１２が設置され、前記連結空間１２は下端壁が前記不純物除去空間１１と連通している。
【００１６】
有益的には、前記不純物除去空間１１の右端壁には空き空間１７が設置され、前記空き空間１７は左端壁が前記不純物除去空間１１と連通しており、前記空き空間１７の前端壁にはラック２１が固定的に設置され、前記ラック２１の後端面が前記支持板２９の前端面の前側に位置し、前記空き空間１７の下端壁は排出口２３によって外部と連通している。
【００１７】
有益的には、前記置き機構７１はさらに前記不純物除去空間１１の後端壁の中に設置されたスライド空間１９を含み、前記スライド空間１９の前端壁が前記不純物除去空間１１と前記空き空間１７とを連通し、前記スライド空間１９の左端壁には圧力ばね３５が固定的に設置され、前記圧力ばね３５の右端には前記スライド空間１９とスライド可能に連結されたスライダ３４が固定的に設置され、前記スライダ３４の前端が前記不純物除去空間１１の中に位置し、前記支持板２９が前記スライダ３４の前端と固定的に連結され、前記支持板２９の前端面の中にはトルク軸２２が第二捻りばね４４によって回転可能に設置され、前記トルク軸２２には歯車２０と回転棒１８とが固定的に設置され、前記回転棒１８が前記歯車２０の前側に位置し、前記置きブロック３６が前記回転棒１８の上端面に固定的に設置されている。
【００１８】
有益的には、前記制御機構７２はさらに前記不純物除去空間１１の後端壁に固定的に設置された駆動モータ２４を含み、前記駆動モータ２４の前端面には駆動軸２５が設置され、前記駆動軸２５が前記駆動モータに制御され、前記駆動軸２５には駆動プーリ２６が固定的に設置され、前記不純物除去空間１１の後端壁には伝動軸３２が回転可能に設置され、前記伝動軸３２には伝動プーリ３１が固定的に設置され、前記伝動プーリ３１と前記駆動プーリ２６とは前記ベルト３０によって摩擦伝動できる。
【００１９】
初期状態において、圧力ばね３５が自然状態にある。
【００２０】
貯蔵ブロック１６の中に籾殻や木材チップなどの固形廃棄物を入れ、自重の作用によって、一部の籾殻や木材チップなどの固形廃棄物が自動的に貯蔵空間１５の中に入り、動力モータ４３を作動させることで、動力軸１４が一周回り、回転盤１３を回転させ、回転盤１３の回転で貯蔵空間１５の中にある籾殻や木材チップなどの固形廃棄物は連結空間１２を介して濾過網３８に送られ、回転盤１３が復帰し、自重の作用によって、一部の籾殻や木材チップなどの固形廃棄物は引き続き自動的に貯蔵空間１５の中に入り、
駆動モータ２４を作動させることで、駆動軸２５が駆動されて回転し、駆動プーリ２６を回転させ、駆動プーリ２６とベルト３０の摩擦伝動によってベルト３０が連動して運動し、四つの押しブロック２８と一つの押し棒２７とを運動させ、一番目の押しブロック２８が回転ブロク３９と当接するまで運動し、さらに回転ブロック３９を押して右方へ運動させ、圧力ばね３５は引っ張られて弾力が強くなり、そして回転ブロック３９が回転して一番目の押しブロック２８を止められなくなったら、圧力ばね３５が復帰し、支持板２９を左方へ運動させ、濾過網３８にある籾殻や木材チップなどの固形廃棄物が連動して左方へ運動することで、これらの固形廃棄物に含まれる不純物が落とされ、次に二番目の押しブロック２８が回転ブロック３９と当接し、そして回転ブロック３９が引き続き押されて右方へ運動し、四つの押しブロック２８の作用によって濾過網３８にある籾殻や木材チップなどの固形廃棄物が左右往復運動することで、これらの固形廃棄物に含まれる不純物が落とされ、続いて押し棒２７が固定ブロック４０と当接し、支持板２９を押して右方へ運動させ、支持板２９が歯車２０を右方へ運動させ、歯車２０は右方へ運動した後にラック２１と噛み合い、ラック２１と歯車２０との噛み合いによって歯車２０は回転し、トルク軸２２を回転させ、第二捻りばね４４が圧縮され、トルク軸２２が置きブロック３６を回転させることで、濾過網３８にある不純物が除去された籾殻や木材チップなどの固形廃棄物は排出口２３によって排出され、
上記のステップを繰り返すと、引き続き貯蔵ブロック１６の中にある籾殻や木材チップなどの固形廃棄物に不純物の除去を行う。
【００２１】
以上の実施例はあくまで本発明の技術的原理と特徴を説明するためのものであり、本分野の技術者に本発明を理解できることと実施できることを目的とし、本発明を限定するためのものではなく、本発明の意義と原則のもとで行われたいかなる修正と、等価置換と改善などは本発明の保護範囲に含まれるべきである。
【要約】
【課題】本願は農業固形廃棄物に対する不純物除去設備を開示した。
【解決手段】
本願発明に記載の農業固形廃棄物に対する不純物除去設備は、不純物除去箱を含み、前記不純物除去箱の中には左方に開口した不純物除去空間が設置され、前記不純物除去空間の上端壁の中にはロッド分割機構が設置され、前記ロッド分割機構は前記不純物除去箱の上端面の中に嵌め込まれた貯蔵ブロックを含み、前記貯蔵ブロックの下端壁の中には回転盤が設置され、本願発明は農業固形廃棄物を定量に分別してから不純物を除去し、小ロットの形で不純物を除去するため、処理効果を向上させられ、また、分別が自動的に行われるため、使用が便利であり、その他、不純物除去箱の中で作業を行うため、粉塵の発生を抑えられ、作業環境や外部への汚染も減らせる。
【選択図】図１【図１】
0006842004.tif 000002
【図２】
0006842004.tif 000003
【図３】
0006842004.tif 000004
【図４】
0006842004.tif 000005